(57)【要約】【課題】ズームレンズ系の構成と各群のパワーバランスの最適化によってコンパクト性を達成しつつ、変倍時の収差変化量を極小化し、高変倍・高性能なズームレンズ系を提供すること。【解決手段】物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成され、短焦点距離端から長焦点距離端への変倍に際し、第１レンズ群Ｇ１と第２レンズ群Ｇ２の間隔は増大し、第２レンズ群Ｇ２と第３レンズ群Ｇ３の間隔は減少し、第３レンズ群Ｇ３と第４レンズ群Ｇ４の間隔は増大するように、第１レンズ群Ｇ１ないし第４レンズ群Ｇ４を光軸方向に移動させ、次の条件式（１）を満足することを特徴とするズームレンズ系。（１）１３．５０＜ｆ１／ｆｗ＜１９．５０但し、ｆ１：第１レンズ群の焦点距離、ｆｗ：短焦点距離端における全系の焦点距離。【選択図】図１
2010271468.tif 000002
【特許請求の範囲】
【請求項１】
物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、第１レンズ群と第２レンズ群の間隔は増大し、第２レンズ群と第３レンズ群の間隔は減少し、第３レンズ群と第４レンズ群の間隔は増大するように、第１レンズ群ないし第４レンズ群を光軸方向に移動させ、次の条件式（１）を満足することを特徴とするズームレンズ系。
（１）１３．５０＜ｆ１／ｆｗ＜１９．５０
但し、
ｆ１：第１レンズ群の焦点距離、
ｆｗ：短焦点距離端における全系の焦点距離。
【請求項２】
請求項１記載のズームレンズ系において、次の条件式（２）を満足するズームレンズ系。
（２）７．００＜ｆ４／ｆｗ＜９．２０
但し、
ｆ４：第４レンズ群の焦点距離、
ｆｗ：短焦点距離端における全系の焦点距離。
【請求項３】
請求項１又は２記載のズームレンズ系において、次の条件式（３）及び（４）を満足するズームレンズ系。
（３）０．０５＜｜ｆ２｜／ｆｔ＜０．０９
（４）２．５０＜ｆ１／（ｆｔ・ｆｗ）1/2＜３．６０
但し、
ｆ２：第２レンズ群の焦点距離、
ｆｔ：長焦点距離端における全系の焦点距離、
ｆ１：第１レンズ群の焦点距離、
ｆｗ：短焦点距離端における全系の焦点距離。
【請求項４】
請求項１ないし３のいずれか１項記載のズームレンズ系において、次の条件式（５）及び（６）を満足するズームレンズ系。
（５）３．５０＜ｆ３／ｆｗ＜４．５０
（６）０．１０＜ｆ３／ｆｔ＜０．１６
但し、
ｆ３：第３レンズ群の焦点距離、
ｆｗ：短焦点距離端における全系の焦点距離、
ｆｔ：長焦点距離端における全系の焦点距離。
【請求項５】
請求項１ないし４のいずれか１項記載のズームレンズ系において、次の条件式（７）を満足するズームレンズ系。
（７）８．５０＜ｆ１／｜ｆ２｜＜１１．００
但し、
ｆ１：第１レンズ群の焦点距離、
ｆ２：第２レンズ群の焦点距離。
【請求項６】
請求項１ないし５のいずれか１項記載のズームレンズ系において、次の条件式（８）及び（９）を満足するズームレンズ系。
（８）０．１５＜｜ｆ２｜／ｆ４＜０．３０
（９）３．６０＜ｆ１／ｆ３＜５．５０
但し、
ｆ２：第２レンズ群の焦点距離、
ｆ４：第４レンズ群の焦点距離、
ｆ１：第１レンズ群の焦点距離、
ｆ３：第３レンズ群の焦点距離。
【請求項７】
請求項１ないし６のいずれか１項記載のズームレンズ系において、第１レンズ群は、物体側から順に、物体側から順に位置する負レンズと正レンズの接合レンズ、及び正レンズからなるズームレンズ系。
【請求項８】
請求項１ないし７のいずれか１項記載のズームレンズ系において、第２レンズ群は、物体側から順に、負レンズ、負レンズ、正レンズ、負レンズ及び正レンズからなるズームレンズ系。
【請求項９】
請求項８記載のズームレンズ系において、第２レンズ群の最も物体側から３枚目の正レンズは、少なくとも一方の面が非球面からなるズームレンズ系。
【請求項１０】
請求項１ないし７のいずれか１項記載のズームレンズ系において、第２レンズ群は、物体側から順に、負レンズ、負レンズ、及び物体側から順に位置する正レンズと負レンズの接合レンズからなるズームレンズ系。
【請求項１１】
請求項１０記載のズームレンズ系において、第２レンズ群の最も物体側の負レンズは、その両面が非球面からなるズームレンズ系。
【請求項１２】
請求項１ないし１１のいずれか１項記載のズームレンズ系において、第３レンズ群は、物体側から順に、正レンズ、正レンズ、負レンズ及び正レンズからなるズームレンズ系。
【請求項１３】
請求項１ないし１２のいずれか１項記載のズームレンズ系において、第４レンズ群は、物体側から順に位置する正レンズと負レンズと正レンズの接合レンズを有するズームレンズ系。
【発明の詳細な説明】
【技術分野】
【０００１】
本発明は写真用カメラ、電子スチルカメラ及びビデオカメラに供する撮影レンズ系に関し、高変倍比で、ズーム全域で優れた光学性能が得られ、コンパクトなズームレンズに関する。
【背景技術】
【０００２】
写真用カメラ、電子スチルカメラ及びビデオカメラといった製品分野では近年、ズームレンズが使用されることが一般化し、従来にも増して高性能、高変倍比、コンパクト性を要求されることが多い。
高性能、高変倍に向くズームレンズ系として物体側から正の屈折力を持つ第１レンズ群、負の屈折力を持つ第２レンズ群、正の屈折力を持つ第３レンズ群、正の屈折力を持つ第４レンズ群から構成され、短焦点距離端（広角端）から長焦点距離端（望遠端）への変倍に際して各群の間隔が変化する正負正正タイプのズームレンズ構成が知られている。
また一般的に多群ズーム構成においては、各群のパワーを強めると変倍に伴う各群の移動量が少なくて済むことからコンパクトなレンズ系の実現が可能となる。
しかし一方で、各群のパワーを強めることは変倍に伴う各群の収差変動を増加せしめ、且つ各群の残存収差を増加させる傾向がある。そのため闇雲に各群のパワーを強めるなど、設定が不適切であると高変倍、コンパクト且つ高性能なズームレンズを得ることが困難になるのが一般的である。
従ってこれらの相反しがちな要求事項を同時達成するためには、各群のパワーバランスを適切に設定することが重要になってくる。
【０００３】
例えば、特許文献１で提案されているレンズでは正負正正タイプのレンズ構成を採るが、各群のパワーバランスが不適切なため、ペッツバール和が負の方向に大きくなっている。このため非点隔差・像面湾曲が大きくなり、軸外の光学性能が不十分である。
また、特許文献２で提案されているレンズも正負正正タイプであるが、第４レンズ群の構成が不適切なため、特に長焦点距離端での倍率色収差補正が不十分となり、軸外での色フレアが大きく発生している欠点がある。
更に、特許文献３で提案されているレンズも正負正正タイプであるが、第２レンズ群のパワーが過大であるため、該当群での変倍時の収差変化が大きく、またこれに伴う色収差補正が困難となり、特に長焦点距離端における下光線色フレアが大きく発生してしまっている。
【先行技術文献】
【特許文献】
【０００４】
【特許文献１】特開２００６−１７１６１５号公報
【特許文献２】特開２００８−２２５３２８号公報
【特許文献３】特開２００８−２６８７８７号公報
【発明の概要】
【発明が解決しようとする課題】
【０００５】
一般的に、多群構成のズームレンズ系の設計にあたりコンパクト性や低コストを追求するため、各群のパワーを強めたりレンズ枚数を削減したりすると、各群での残存収差量が増加あるいは変倍時の収差変化量が大きくなるため光学性能との両立が極めて困難になる。
本発明の目的は、ズームレンズ系の構成と各群のパワーバランスの最適化によってコンパクト性を達成しつつ、変倍時の収差変化量を極小化し、高変倍・高性能なズームレンズ系を提供することにある。
【課題を解決するための手段】
【０００６】
本発明のズームレンズ系は、物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、第１レンズ群と第２レンズ群の間隔は増大し、第２レンズ群と第３レンズ群の間隔は減少し、第３レンズ群と第４レンズ群の間隔は増大するように、第１レンズ群ないし第４レンズ群を光軸方向に移動させ、次の条件式（１）を満足することを特徴としている。
（１）１３．５０＜ｆ１／ｆｗ＜１９．５０
但し、
ｆ１：第１レンズ群の焦点距離、
ｆｗ：短焦点距離端における全系の焦点距離、
である。
【０００７】
本発明のズームレンズ系は、さらに、次の条件式（２）を満足することが好ましい。
（２）７．００＜ｆ４／ｆｗ＜９．２０
但し、
ｆ４：第４レンズ群の焦点距離、
ｆｗ：短焦点距離端における全系の焦点距離、
である。
【０００８】
本発明のズームレンズ系は、さらに、次の条件式（３）及び（４）を満足することが好ましい。
（３）０．０５＜｜ｆ２｜／ｆｔ＜０．０９
（４）２．５０＜ｆ１／（ｆｔ・ｆｗ）1/2＜３．６０
但し、
ｆ２：第２レンズ群の焦点距離、
ｆｔ：長焦点距離端における全系の焦点距離、
ｆ１：第１レンズ群の焦点距離、
ｆｗ：短焦点距離端における全系の焦点距離、
である。
【０００９】
本発明のズームレンズ系は、さらに、次の条件式（５）及び（６）を満足することが好ましい。
（５）３．５０＜ｆ３／ｆｗ＜４．５０
（６）０．１０＜ｆ３／ｆｔ＜０．１６
但し、
ｆ３：第３レンズ群の焦点距離、
ｆｗ：短焦点距離端における全系の焦点距離、
ｆｔ：長焦点距離端における全系の焦点距離、
である。
【００１０】
本発明のズームレンズ系は、さらに、次の条件式（７）を満足することが好ましい。
（７）８．５０＜ｆ１／｜ｆ２｜＜１１．００
但し、
ｆ１：第１レンズ群の焦点距離、
ｆ２：第２レンズ群の焦点距離、
である。
【００１１】
本発明のズームレンズ系は、さらに、次の条件式（８）及び（９）を満足することが好ましい。
（８）０．１５＜｜ｆ２｜／ｆ４＜０．３０
（９）３．６０＜ｆ１／ｆ３＜５．５０
但し、
ｆ２：第２レンズ群の焦点距離、
ｆ４：第４レンズ群の焦点距離、
ｆ１：第１レンズ群の焦点距離、
ｆ３：第３レンズ群の焦点距離、
である。
【００１２】
第１レンズ群は、物体側から順に、物体側から順に位置する負レンズと正レンズの接合レンズ、及び正レンズから構成することができる。
【００１３】
第２レンズ群は、物体側から順に、負レンズ、負レンズ、正レンズ、負レンズ及び正レンズから構成することができる。この場合、第２レンズ群の最も物体側から３枚目の正レンズは、少なくとも一方の面を非球面とすることが好ましい。
【００１４】
第２レンズ群は、物体側から順に、負レンズ、負レンズ、及び物体側から順に位置する正レンズと負レンズの接合レンズから構成することもできる。この場合、第２レンズ群の最も物体側の負レンズは、その両面を非球面とすることが好ましい。
【００１５】
第３レンズ群は、物体側から順に、正レンズ、正レンズ、負レンズ及び正レンズから構成することができる。
【００１６】
第４レンズ群は、物体側から順に位置する正レンズと負レンズと正レンズの接合レンズを有する態様をとることができる。
【発明の効果】
【００１７】
本発明によれば、ズームレンズ系の構成と各群のパワーバランスの最適化によってコンパクト性を達成しつつ、変倍時の収差変化量を極小化し、高変倍・高性能なズームレンズ系を提供することができる。
【図面の簡単な説明】
【００１８】
【図１】本発明によるズームレンズ系の数値実施例１の長焦点距離端における無限遠合焦時のレンズ構成図である。
【図２】図１の構成における諸収差図である。
【図３】図１の構成における横収差図である。
【図４】同数値実施例１の中間焦点距離における無限遠合焦時のレンズ構成図である。
【図５】図４の構成における諸収差図である。
【図６】図４の構成における横収差図である。
【図７】同数値実施例１の短焦点距離端における無限遠合焦時のレンズ構成図である。
【図８】図７の構成における諸収差図である。
【図９】図７の構成における横収差図である。
【図１０】本発明によるズームレンズ系の数値実施例２の長焦点距離端における無限遠合焦時のレンズ構成図である。
【図１１】図１０の構成における諸収差図である。
【図１２】図１０の構成における横収差図である。
【図１３】同数値実施例２の中間焦点距離における無限遠合焦時のレンズ構成図である。
【図１４】図１３の構成における諸収差図である。
【図１５】図１３の構成における横収差図である。
【図１６】同数値実施例２の短焦点距離端における無限遠合焦時のレンズ構成図である。
【図１７】図１６の構成における諸収差図である。
【図１８】図１６の構成における横収差図である。
【図１９】本発明によるズームレンズ系の数値実施例３の長焦点距離端における無限遠合焦時のレンズ構成図である。
【図２０】図１９の構成における諸収差図である。
【図２１】図１９の構成における横収差図である。
【図２２】同数値実施例３の中間焦点距離における無限遠合焦時のレンズ構成図である。
【図２３】図２２の構成における諸収差図である。
【図２４】図２２の構成における横収差図である。
【図２５】同数値実施例３の短焦点距離端における無限遠合焦時のレンズ構成図である。
【図２６】図２５の構成における諸収差図である。
【図２７】図２５の構成における横収差図である。
【図２８】本発明によるズームレンズ系の数値実施例４の長焦点距離端における無限遠合焦時のレンズ構成図である。
【図２９】図２８の構成における諸収差図である。
【図３０】図２８の構成における横収差図である。
【図３１】同数値実施例４の中間焦点距離における無限遠合焦時のレンズ構成図である。
【図３２】図３１の構成における諸収差図である。
【図３３】図３１の構成における横収差図である。
【図３４】同数値実施例４の短焦点距離端における無限遠合焦時のレンズ構成図である。
【図３５】図３４の構成における諸収差図である。
【図３６】図３４の構成における横収差図である。
【図３７】本発明によるズームレンズ系の数値実施例５の長焦点距離端における無限遠合焦時のレンズ構成図である。
【図３８】図３７の構成における諸収差図である。
【図３９】図３７の構成における横収差図である。
【図４０】同数値実施例５の中間焦点距離における無限遠合焦時のレンズ構成図である。
【図４１】図４０の構成における諸収差図である。
【図４２】図４０の構成における横収差図である。
【図４３】同数値実施例５の短焦点距離端における無限遠合焦時のレンズ構成図である。
【図４４】図４３の構成における諸収差図である。
【図４５】図４３の構成における横収差図である。
【図４６】本発明によるズームレンズ系の数値実施例６の長焦点距離端における無限遠合焦時のレンズ構成図である。
【図４７】図４６の構成における諸収差図である。
【図４８】図４６の構成における横収差図である。
【図４９】同数値実施例６の中間焦点距離における無限遠合焦時のレンズ構成図である。
【図５０】図４９の構成における諸収差図である。
【図５１】図４９の構成における横収差図である。
【図５２】同数値実施例６の短焦点距離端における無限遠合焦時のレンズ構成図である。
【図５３】図５２の構成における諸収差図である。
【図５４】図５２の構成における横収差図である。
【図５５】本発明によるズームレンズ系の数値実施例７の長焦点距離端における無限遠合焦時のレンズ構成図である。
【図５６】図５５の構成における諸収差図である。
【図５７】図５５の構成における横収差図である。
【図５８】同数値実施例７の中間焦点距離における無限遠合焦時のレンズ構成図である。
【図５９】図５８の構成における諸収差図である。
【図６０】図５８の構成における横収差図である。
【図６１】同数値実施例７の短焦点距離端における無限遠合焦時のレンズ構成図である。
【図６２】図６１の構成における諸収差図である。
【図６３】図６１の構成における横収差図である。
【図６４】本発明によるズームレンズ系のズーム軌跡を示す簡易移動図である。
【発明を実施するための形態】
【００１９】
本実施の形態のズームレンズ系は、図６４の簡易移動図に示すように、物体側から順に、正の屈折力の第１レンズ群Ｇ１、負の屈折力の第２レンズ群Ｇ２、正の屈折力の第３レンズ群Ｇ３、及び正の屈折力の第４レンズ群Ｇ４から構成されている。第２レンズ群Ｇ２と第３レンズ群Ｇ３の間に位置する絞りＳは、第３レンズ群Ｇ３と一体に移動する。フォーカシングは第４レンズ群Ｇ４で行う。Ｉは像面である。
【００２０】
短焦点距離端（Ｗ）から長焦点距離端（Ｔ）への変倍（ズーミング）に際し、第１レンズ群Ｇ１と第２レンズ群Ｇ２のレンズ群間隔が増加し、第２レンズ群Ｇ２と第３レンズ群Ｇ３のレンズ群間隔が減少し、第３レンズ群Ｇ３と第４レンズ群Ｇ４のレンズ群間隔が増加するように、第１レンズ群Ｇ１ないし第４レンズ群Ｇ４が移動する。より具体的には、短焦点距離端から長焦点距離端への変倍に際し、第１レンズ群Ｇ１は単調に物体側に移動し、第２レンズ群Ｇ２は全体として像側に移動し、第３レンズ群Ｇ３は単調に物体側に移動し、第４レンズ群はいったん物体側に移動してから像側に移動する。
【００２１】
第１レンズ群Ｇ１は、数値実施例１から７の各レンズ構成図に示すように、物体側から順に、物体側から順に位置する負レンズ１１と正レンズ１２の接合レンズ１０、及び正レンズ１３からなる。負レンズ１１は物体側に凸の負メニスカスレンズ、正レンズ１２は両凸正レンズである。正レンズ１３は、物体側に凸の正メニスカスレンズ又は両凸正レンズである。
【００２２】
第２レンズ群Ｇ２は、数値実施例１から６の各レンズ構成図に示すように、物体側から順に、負レンズ２０、負レンズ２１、正レンズ２２、負レンズ２３、及び正レンズ２４からなる。負レンズ２０は物体側に凸の負メニスカスレンズ、負レンズ２１は物体側に凸の負メニスカスレンズ、正レンズ２２は像側に凸の正メニスカスレンズ、負レンズ２３は像側に凸の負メニスカスレンズ、正レンズ２４は物体側に凸の正メニスカスレンズ又は両凸正レンズである。正メニスカスレンズ２２は、その物体側の面又は両面が非球面のレンズである。
あるいは、第２レンズ群Ｇ２は、数値実施例７のレンズ構成図（図５５、５８及び６１）に示すように、物体側から順に、両凹負レンズ２０、像側に凸の負メニスカスレンズ２１、及び物体側から順に位置する両凸正レンズ２５と像側に凸の負メニスカスレンズ２６の接合レンズ２７から構成することもできる。この場合、両凹負レンズ２０は、その両面を非球面の樹脂レンズとすることができる。
【００２３】
第３レンズ群Ｇ３は、数値実施例２から７の各レンズ構成図に示すように、物体側から順に、正レンズ３０、正レンズ３１、負レンズ３２、及び正レンズ３３からなる。正レンズ３０は両凸正レンズ、正レンズ３１は両凸正レンズ、負レンズ３２は物体側に凸の負メニスカスレンズ又は両凹負レンズ、正レンズ３３は両凸正レンズである。両凸正レンズ３０は、その物体側の面又は両面が非球面のレンズである。
あるいは、第３レンズ群Ｇ３は、数値実施例１のレンズ構成図（図１、４及び７）に示すように、正レンズ３３を省略して、正レンズ３０、正レンズ３１及び負レンズ３２で構成することもできる。
【００２４】
第４レンズ群Ｇ４は、数値実施例１のレンズ構成図（図１、４及び７）に示すように、物体側から順に、正レンズ４０、正レンズ４１、負レンズ４２、及び正レンズ４３からなる。正レンズ４０は両凸正レンズ、正レンズ４１は両凸正レンズ、負レンズ４２は両凹負レンズ、正レンズ４３は物体側に凸の正メニスカスレンズである。両凸正レンズ４０は、その両面が非球面の樹脂レンズである。
あるいは、第４レンズ群Ｇ４は、数値実施例２又は３のレンズ構成図（図１０、１３、１６、１９、２２及び２５）に示すように、物体側から順に、正レンズ４０、負レンズ４１、及び正レンズ４２から構成することもできる。この場合、正レンズ４０は両凸正レンズ、負レンズ４１は物体側に凸の負メニスカスレンズ又は両凹負レンズ、正レンズ４２は物体側に凸の正メニスカスレンズ又は両凸正レンズとすることができる。また、両凸正レンズ４０は、その両面が非球面のレンズである。
さらには、第４レンズ群Ｇ４は、数値実施例４から７のレンズ構成図（図２８、３１、３４、３７、４０、４３、４６、４９、５２、５５、５８及び６１）に示すように、物体側から順に、正レンズ４０、及び物体側から順に位置する正レンズ４５と負レンズ４６と正レンズ４７の接合レンズ４８から構成することもできる。この場合、正レンズ４０は両凸正レンズ、正レンズ４５は両凸正レンズ又は物体側に凸の正メニスカスレンズ、負レンズ４６は両凹負レンズ又は物体側に凸の負メニスカスレンズ、正レンズ４７は両凸正レンズ又は物体側に凸の正メニスカスレンズとすることができる。また、両凸正レンズ４０は、その両面が非球面のレンズであり、正レンズ４５は、その物体側の面が非球面のレンズとすることができる。
【００２５】
条件式（１）は主に短焦点距離端での所望の焦点距離と良好な倍率色収差補正の範囲を示すものである。
条件式（１）の下限を超えると倍率色収差の発生量が多くなるために後群（特に第４レンズ群）での補正が困難になる。
条件式（１）の上限を超えると第１レンズ群Ｇ１のパワーが弱くなり、収差補正は良好であるがレンズ全長が長くなる。また相対的に第３レンズ群Ｇ３ないしは第４レンズ群Ｇ４のパワーが増加するため球面収差が大きく発生し、倍率色収差補正が不完全になる。
【００２６】
条件式（２）も同様に主に短焦点距離端での焦点距離確保と倍率色収差補正がバランスする良好な範囲を示すものである。
条件式（２）の下限を超えると倍率色収差発生量が多くなるため光学性能が劣化する。
条件式（２）の上限を超えると第４レンズ群Ｇ４のパワーが弱まるため相対的に第１レンズ群Ｇ１ないしは第３レンズ群Ｇ３のパワーが増加し、球面収差が主に悪化する。
【００２７】
条件式（３）はコンパクト且つ高変倍を達成するための範囲である。
条件式（３）の下限を超えると第２レンズ群Ｇ２のパワーが強まるため変倍時の第２レンズ群Ｇ２の移動量が小さくて済み、コンパクト性に寄与するが像面湾曲・非点隔差、倍率色収差といった収差が大きく発生することになり補正が困難になる。
条件式（３）の上限を超えると第２レンズ群Ｇ２のパワーが弱まるため収差補正は良好であるがレンズ全長が長くなり、コンパクト性を達成できなくなる。
【００２８】
条件式（４）は特に長焦点距離端での良好な球面収差補正と全長を規定するものである。
条件式（４）の下限を超えると第１レンズ群Ｇ１のパワーが強まるため特に長焦点距離端での球面収差、軸上色収差の補正が困難になる。
条件式（４）の上限を超えると収差補正的には良好であるが長焦点距離端での全長が伸び、コンパクト性を損なう。
【００２９】
条件式（５）及び（６）はそれぞれ短焦点距離端、長焦点距離端での光学性能を良好にバランスするための範囲を規定するものである。
条件式（５）及び（６）の下限を超えると第３レンズ群Ｇ３のパワーが強まるため短焦点距離端から長焦点距離端の全域で球面収差が悪化し、補正が困難になる。
条件式（５）及び（６）の上限を超えると第３レンズ群Ｇ３のパワーが弱まるため全長が長くなりコンパクト性が失われる。
【００３０】
条件式（７）はコンパクト性と長焦点距離端の球面収差及び軸上色収差を良好にバランスさせるための範囲を規定するものである。
条件式（７）の上限を超えると第２レンズ群Ｇ２のパワーが相対的に大きくなりコンパクト性は増すが倍率色収差補正が困難になる。
条件式（７）の下限を超えると第１レンズ群Ｇ１のパワーが相対的に大きくなり、長焦点距離端の球面収差、軸上色収差補正が困難になる。
【００３１】
条件式（８）はコンパクト性と像面湾曲、ディストーション、倍率色収差を良好にバランスするための範囲を規定するものである。
条件式（８）の上限を超えると第２レンズ群Ｇ２のパワーが相対的に小さくなり、第４レンズ群Ｇ４のパワーが大きくなる。このためコンパクト性が失われ、倍率色収差が補正過剰となる。
条件式（８）の下限を超えるとコンパクト性の面では有利であるが、像面湾曲、ディストーション、倍率色収差が補正困難になる。
【００３２】
条件式（９）は同様にコンパクト性と特に長焦点距離端での球面収差、軸上色収差を良好にバランスするための範囲を規定するものである。
条件式（９）の上限を超えると相対的に第１レンズ群Ｇ１のパワーが小さくなり、第３レンズ群Ｇ３のパワーが大きくなる。このため第１レンズ群Ｇ１の移動量が大きくなり、長焦点距離端でのコンパクト性が失われる。
条件式（９）の下限を超えると特に長焦点距離端の球面収差、軸上色収差が補正困難になる。
【実施例】
【００３３】
次に具体的な数値実施例を示す。以下の数値実施例は、例えば、写真用カメラ、電子スチルカメラ及びビデオカメラ、さらにはブリッジカメラに用いる場合に対応している。諸収差図、横収差図及び表中において、ｄ線、ｇ線、Ｃ線、Ｆ線、ｅ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、ｒは曲率半径、ｄはレンズ厚またはレンズ間隔、Ｎ（ｄ）はｄ線の屈折率、νはアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００３４】
［数値実施例１］
図１〜図９と表１〜表３は、本発明によるズームレンズ系の数値実施例１を示している。図１は長焦点距離端における無限遠合焦時のレンズ構成図、図２はその諸収差図、図３は横収差図であり、図４は中間焦点距離における無限遠合焦時のレンズ構成図、図５はその諸収差図、図６は横収差図であり、図７は短焦点距離端における無限遠合焦時のレンズ構成図、図８はその諸収差図、図９は横収差図である。表１は面データ、表２は各種データ、表３は非球面データである。
【００３５】
本数値実施例のズームレンズ系は、物体側から順に、正の屈折力の第１レンズ群Ｇ１、負の屈折力の第２レンズ群Ｇ２、正の屈折力の第３レンズ群、及び正の屈折力の第４レンズ群Ｇ４からなっている。
第１レンズ群Ｇ１（面番号１から５）は、物体側から順に、物体側から順に位置する物体側に凸の負メニスカスレンズ１１と両凸正レンズ１２の接合レンズ１０、及び物体側に凸の正メニスカスレンズ１３からなる。
第２レンズ群Ｇ２（面番号６から１５）は、物体側から順に、物体側に凸の負メニスカスレンズ２０、物体側に凸の負メニスカスレンズ２１、像側に凸の正メニスカスレンズ２２、像側に凸の負メニスカスレンズ２３、及び物体側に凸の正メニスカスレンズ２４からなる。正メニスカスレンズ２２は、その物体側の面が非球面のレンズである。また、第２レンズ群Ｇ２と第３レンズ群Ｇ３の間に位置する絞りＳ（面番号１６）は、第３レンズ群Ｇ３と一体に移動する。
第３レンズ群Ｇ３（面番号１７から２２）は、物体側から順に、両凸正レンズ３０、両凸正レンズ３１、及び物体側に凸の負メニスカスレンズ３２からなる。両凸正レンズ３０は、その両面が非球面のレンズである。
第４レンズ群Ｇ４（面番号２３から３０）は、物体側から順に、両凸正レンズ４０、両凸正レンズ４１、両凹負レンズ４２、及び物体側に凸の正メニスカスレンズ４３からなる。両凸正レンズ４０は、その両面が非球面のレンズである。第４レンズ群Ｇ４（レンズ４３）の後方（像面Ｉとの間）には、２枚の光学フィルタＯＰ１、ＯＰ２（面番号３１から３４）が配置されている。
【００３６】
（表１）
面データ
面番号          R          d          N(d)          ν
1          88.234      1.300       1.80610        33.3
2          44.803      5.032       1.45650        90.3
3        -591.548      0.100
4          43.128      3.802       1.61800        63.4
5         177.725       可変
6         119.404      0.800       1.81600        46.6
7           7.823      3.323
8          25.530      0.800       1.80518        25.5
9          13.648      1.572
10*       -76.145      2.472       2.00178        19.3
11        -19.124      0.570
12        -12.801      0.800       1.80420        46.5
13        -74.039      0.200
14         29.174      1.128       2.00178        19.3
15         75.522       可変
16絞           ∞      1.000
17*        12.528      1.164       1.48749        70.4
18*     -1598.013      0.834
19          8.172      2.249       1.49700        81.6
20       -105.068      0.100
21          9.522      0.800       1.84666        23.8
22          5.497       可変
23*        52.883      1.500       1.58313        59.5
24*      -184.799      3.928
25         26.570      2.000       1.56883        56.0
26        -13.022      1.000
27        -29.415      0.700       1.81600        46.6
28         13.754      0.100
29         12.477      3.000       1.45650        90.3
30         73.257      0.109
31             ∞      0.500       1.51633        64.1
32             ∞      0.600
33             ∞      0.500       1.51633        64.1
34             ∞          -
＊は回転対称非球面である。
（表２）
各種データ
ズーム比     23.7
短焦点距離端     中間焦点距離     長焦点距離端
FNO.           2.8              4.5              4.5
f            4.43            30.03           105.00
W            46.3              7.5              2.2
Y           3.875            3.875            3.875
fB           0.60            10.31             0.60
L           75.77           102.21           124.96
d5          1.000           37.564           55.829
d15        26.499            3.872            0.589
d22         5.694            8.475           25.964
（表３）
非球面データ（表示していない非球面係数は0.00である）
面番号   K          A4             A6             A8
10    0.000   0.9692×10-4   -0.9781×10-7    0.2289×10-7
17    0.000  -0.1658×10-3   -0.2822×10-5   -0.6304×10-7
18    0.000   0.1483×10-4   -0.2307×10-5   -0.4041×10-7
23    0.000   0.1300×10-4   -0.5280×10-5   -0.5568×10-7
24    0.000   0.1602×10-3   -0.4940×10-5   -0.3047×10-7
【００３７】
［数値実施例２］
図１０〜図１８と表４〜表６は、本発明によるズームレンズ系の数値実施例２を示している。図１０は長焦点距離端における無限遠合焦時のレンズ構成図、図１１はその諸収差図、図１２は横収差図であり、図１３は中間焦点距離における無限遠合焦時のレンズ構成図、図１４はその諸収差図、図１５は横収差図であり、図１６は短焦点距離端における無限遠合焦時のレンズ構成図、図１７はその諸収差図、図１８は横収差図である。表４は面データ、表５は各種データ、表６は非球面データである。
【００３８】
この数値実施例２のレンズ構成は、第３レンズ群Ｇ３及び第４レンズ群Ｇ４の構成が数値実施例１のレンズ構成と異なっている。以下、具体的に説明する。説明を省略するその他の構成は、数値実施例１の構成と同様である。
第３レンズ群Ｇ３（面番号１７から２４）は、物体側から順に、両凸正レンズ３０、両凸正レンズ３１、物体側に凸の負メニスカスレンズ３２、及び両凸正レンズ３３からなる。両凸正レンズ３０は、その物体側の面が非球面のレンズである。
第４レンズ群Ｇ４（面番号２５から３０）は、両凸正レンズ４０、物体側に凸の負メニスカスレンズ４１、及び物体側に凸の正メニスカスレンズ４２からなる。両凸正レンズ４０は、その両面が非球面のレンズである。
【００３９】
（表４）
面データ
面番号          R          d          N(d)          ν
1         133.676      1.300       1.80450        39.6
2          43.661      5.529       1.45650        90.3
3        -282.484      0.100
4          44.124      4.764       1.61800        63.4
5         409.152       可変
6          70.207      0.800       1.80420        46.5
7           6.815      2.860
8          15.819      0.800       1.80518        25.5
9          11.871      1.419
10*      -103.663      2.388       2.00178        19.3
11        -18.611      0.634
12        -11.013      0.800       1.80420        46.5
13       -314.764      0.200
14         31.741      1.099       1.92286        20.9
15        188.291       可変
16絞          ∞      1.000
17*        11.842      1.420       1.49700        81.6
18        -51.076      0.100
19          8.121      3.709       1.49700        81.6
20        -45.421      0.127
21         62.278      0.800       1.80610        33.3
22          6.308      0.823
23         19.664      1.000       1.56384        60.8
24       -109.359       可変
25*        35.170      3.000       1.58313        59.5
26*       -20.210      2.814
27     107679.053      0.700       1.80420        46.5
28         19.294      0.100
29         15.634      2.690       1.49700        81.6
30         85.714      0.107
31             ∞      0.500       1.51633        64.1
32             ∞      0.600
33             ∞      0.500       1.51633        64.1
34             ∞          -
＊は回転対称非球面である。
（表５）
各種データ
ズーム比     29.5
短焦点距離端     中間焦点距離     長焦点距離端
FNO.           2.8              4.3              4.5
f            4.43            30.02           130.99
W            45.8              7.4              1.7
Y           3.875            3.875            3.875
fB           2.10            12.90             1.00
L           70.01           103.76           135.00
d5          1.000           41.376           61.982
d15        21.072            3.183            0.542
d24         3.158            3.611           28.793
（表６）
非球面データ（表示していない非球面係数は0.00である）
面番号   K          A4             A6             A8             A10
10    0.000   0.1582×10-3   -0.1665×10-6    0.6544×10-7
17    0.000  -0.1808×10-3    0.2988×10-6   -0.2706×10-7
25    0.000  -0.2019×10-3   -0.1482×10-4    0.2996×10-6   -0.1153×10-7
26    0.000  -0.1748×10-3   -0.1213×10-4    0.1238×10-6   -0.3702×10-8
【００４０】
［数値実施例３］
図１９〜図２７と表７〜表９は、本発明によるズームレンズ系の数値実施例３を示している。図１９は長焦点距離端における無限遠合焦時のレンズ構成図、図２０はその諸収差図、図２１は横収差図であり、図２２は中間焦点距離における無限遠合焦時のレンズ構成図、図２３はその諸収差図、図２４は横収差図であり、図２５は短焦点距離端における無限遠合焦時のレンズ構成図、図２６はその諸収差図、図２７は横収差図である。表７は面データ、表８は各種データ、表９は非球面データである。
【００４１】
この数値実施例３のレンズ構成は、第３レンズ群Ｇ３及び第４レンズ群Ｇ４の構成が数値実施例１のレンズ構成と異なっている。以下、具体的に説明する。説明を省略するその他の構成は、数値実施例１の構成と同様である。
第３レンズ群Ｇ３（面番号１７から２４）は、物体側から順に、両凸正レンズ３０、両凸正レンズ３１、物体側に凸の負メニスカスレンズ３２、及び両凸正レンズ３３からなる。両凸正レンズ３０は、その物体側の面が非球面のレンズである。
第４レンズ群Ｇ４（面番号２５から３０）は、両凸正レンズ４０、両凹負レンズ４１、及び両凸正レンズ４２からなる。両凸正レンズ４０は、その両面が非球面のレンズである。
【００４２】
（表７）
面データ
面番号          R          d          N(d)          ν
1         124.001      1.300       1.80450        39.6
2          41.447      5.785       1.45650        90.3
3        -272.702      0.100
4          41.521      4.948       1.61800        63.4
5         332.161       可変
6          87.820      0.800       1.80420        46.5
7           6.561      3.295
8          25.123      0.800       1.80518        25.5
9          15.299      1.053
10*       -89.654      2.415       2.00178        19.3
11        -17.971      0.549
12        -11.447      0.800       1.80420        46.5
13        -88.053      0.200
14         32.705      1.068       1.92286        20.9
15        140.940       可変
16絞          ∞      1.000
17*        11.267      1.557       1.49700        81.6
18        -80.643      0.100
19          8.555      3.485       1.49700        81.6
20        -48.604      0.100
21         51.501      0.800       1.80610        33.3
22          6.599      0.939
23         27.194      1.000       1.56883        56.0
24        -58.672       可変
25*        20.654      3.000       1.58313        59.5
26*       -22.931      2.330
27        -31.630      0.700       1.80420        46.5
28         17.968      0.100
29         17.098      2.232       1.48749        70.4
30        -29.566      1.023
31             ∞      0.500       1.51633        64.1
32             ∞      0.600
33             ∞      0.500       1.51633        64.1
34             ∞          -
＊は回転対称非球面である。
（表８）
各種データ
ズーム比     29.5
短焦点距離端     中間焦点距離     長焦点距離端
FNO.           2.8              4.2              4.5
f            4.43            29.90           130.99
W            45.8              7.5              1.7
Y           3.875            3.875            3.875
fB           2.10            13.75              1.0
L           72.64           102.53           135.00
d5          1.000           38.941           58.163
d15        22.487            3.199            0.656
d24         3.975            3.556           32.102
（表９）
非球面データ（表示していない非球面係数は0.00である）
面番号   K          A4             A6             A8             A10
10    0.000   0.1623×10-3   -0.2307×10-6    0.7594×10-7
17    0.000  -0.1788×10-3   -0.8393×10-7   -0.1665×10-7
25    0.000  -0.1700×10-3   -0.5534×10-5   -0.1341×10-6   -0.5669×10-9
26    0.000  -0.1551×10-3   -0.6259×10-5   -0.1138×10-6    0.1389×10-8
【００４３】
［数値実施例４］
図２８〜図３６と表１０〜表１２は、本発明によるズームレンズ系の数値実施例４を示している。図２８は長焦点距離端における無限遠合焦時のレンズ構成図、図２９はその諸収差図、図３０は横収差図であり、図３１は中間焦点距離における無限遠合焦時のレンズ構成図、図３２はその諸収差図、図３３は横収差図であり、図３４は短焦点距離端における無限遠合焦時のレンズ構成図、図３５はその諸収差図、図３６は横収差図である。表１０は面データ、表１１は各種データ、表１２は非球面データである。
【００４４】
この数値実施例４のレンズ構成は、第２レンズ群Ｇ２、第３レンズ群Ｇ３及び第４レンズ群Ｇ４の構成が数値実施例１のレンズ構成と異なっている。以下、具体的に説明する。説明を省略するその他の構成は、数値実施例１の構成と同様である。
第２レンズ群Ｇ２（面番号６から１５）は、物体側から順に、物体側に凸の負メニスカスレンズ２０、物体側に凸の負メニスカスレンズ２１、像側に凸の正メニスカスレンズ２２、像側に凸の負メニスカスレンズ２３、及び両凸正レンズ２４からなる。正メニスカスレンズ２２は、その両面が非球面のレンズである。
第３レンズ群Ｇ３（面番号１７から２４）は、物体側から順に、両凸正レンズ３０、両凸正レンズ３１、両凹負レンズ３２、及び両凸正レンズ３３からなる。両凸正レンズ３０は、その両面が非球面のレンズである。
第４レンズ群Ｇ４（面番号２５から３０）は、物体側から順に、両凸正レンズ４０、及び物体側から順に位置する両凸正レンズ４５と両凹負レンズ４６と両凸正レンズ４７の接合レンズ４８からなる。両凸正レンズ４０は、その両面が非球面の樹脂レンズである。
【００４５】
（表１０）
面データ
面番号          R          d          N(d)          ν
1         150.912      1.300       1.83481        42.7
2          39.206      6.232       1.45650        90.3
3        -222.103      0.100
4          41.161      5.603       1.61800        63.4
5        2801.176       可変
6         101.573      0.800       1.80420        46.5
7           6.650      3.291
8          36.002      0.800       1.80518        25.5
9          14.855      1.044
10*       -72.352      2.398       2.00178        19.3
11*       -17.447      0.779
12         -9.862      0.800       1.80420        46.5
13        -32.918      0.200
14         57.712      1.136       1.92286        20.9
15       -100.480       可変
16絞          ∞      1.000
17*        16.709      1.427       1.49700        81.6
18*       -40.870      0.100
19          9.203      5.157       1.49700        81.6
20        -28.744      0.100
21       -292.926      0.800       1.80610        33.3
22          7.518      0.763
23         20.518      1.000       1.56883        56.0
24        -52.807       可変
25*        66.126      1.913       1.58313        59.5
26*      -197.420      2.681
27          9.067      3.559       1.51742        52.2
28        -10.224      0.700       1.83481        42.7
29          7.699      2.616       1.56732        42.8
30        -41.518      0.000
31             ∞      0.500       1.51633        64.1
32             ∞      0.600
33             ∞      0.500       1.51633        64.1
34             ∞          -
＊は回転対称非球面である。
（表１１）
各種データ
ズーム比     29.6
短焦点距離端     中間焦点距離     長焦点距離端
FNO.           2.8              4.5              4.7
f            4.43            30.03           131.00
W            45.8              7.4              1.7
Y           3.875            3.875            3.875
fB           2.10            13.54             2.10
L           77.91           109.45           140.00
d5          1.000           39.893           58.720
d15        23.668            4.387            0.500
d24         3.244            3.730           30.781
（表１２）
非球面データ（表示していない非球面係数は0.00である）
面番号   K          A4             A6             A8             A10
10    0.000   0.2408×10-3    0.4713×10-6    0.1733×10-7
11    0.000   0.4472×10-4    0.4503×10-7   -0.3983×10-7
17    0.000  -0.8510×10-4   -0.2476×10-5    0.3441×10-8
18    0.000   0.2620×10-4   -0.2184×10-5    0.1132×10-7
25    0.000   0.6491×10-4   -0.1056×10-4   -0.2026×10-6    0.2211×10-8
26    0.000  -0.2725×10-4   -0.1068×10-4   -0.3218×10-6    0.6036×10-8
【００４６】
［数値実施例５］
図３７〜図４５と表１３〜表１５は、本発明によるズームレンズ系の数値実施例５を示している。図３７は長焦点距離端における無限遠合焦時のレンズ構成図、図３８はその諸収差図、図３９は横収差図であり、図４０は中間焦点距離における無限遠合焦時のレンズ構成図、図４１はその諸収差図、図４２は横収差図であり、図４３は短焦点距離端における無限遠合焦時のレンズ構成図、図４４はその諸収差図、図４５は横収差図である。表１３は面データ、表１４は各種データ、表１５は非球面データである。
【００４７】
この数値実施例５のレンズ構成は、第２レンズ群Ｇ２、第３レンズ群Ｇ３及び第４レンズ群Ｇ４の構成が数値実施例１のレンズ構成と異なっている。以下、具体的に説明する。説明を省略するその他の構成は、数値実施例１の構成と同様である。
第２レンズ群Ｇ２（面番号６から１５）は、物体側から順に、物体側に凸の負メニスカスレンズ２０、物体側に凸の負メニスカスレンズ２１、像側に凸の正メニスカスレンズ２２、像側に凸の負メニスカスレンズ２３、及び両凸正レンズ２４からなる。正メニスカスレンズ２２は、その両面が非球面のレンズである。
第３レンズ群Ｇ３（面番号１７から２４）は、物体側から順に、両凸正レンズ３０、両凸正レンズ３１、両凹負レンズ３２、及び両凸正レンズ３３からなる。両凸正レンズ３０は、その両面が非球面のレンズである。
第４レンズ群Ｇ４（面番号２５から３０）は、物体側から順に、両凸正レンズ４０、及び物体側から順に位置する両凸正レンズ４５と両凹負レンズ４６と両凸正レンズ４７の接合レンズ４８からなる。両凸正レンズ４０は、その両面が非球面の樹脂レンズである。
【００４８】
（表１３）
面データ
面番号          R          d          N(d)          ν
1         148.549      1.300       1.83481        42.7
2          38.289      6.756       1.45650        90.3
3        -228.629      0.100
4          40.447      5.823       1.61800        63.4
5        2577.277       可変
6          63.910      0.800       1.80420        46.5
7           6.464      3.169
8          38.886      0.800       1.80518        25.5
9          11.965      1.145
10*      -437.555      2.495       2.00178        19.3
11*       -16.817      0.665
12         -8.954      0.800       1.80420        46.5
13        -23.651      0.200
14        715.133      0.966       1.92286        20.9
15        -57.384       可変
16絞          ∞      1.000
17*        14.401      1.643       1.49700        81.6
18*       -31.796      0.100
19          8.333      4.647       1.49700        81.6
20        -30.066      0.100
21        -77.577      0.800       1.83400        37.3
22          7.021      0.761
23         18.877      1.000       1.48749        70.4
24        -29.877       可変
25*       183.626      1.964       1.58313        59.5
26*      -105.192      2.723
27          8.399      3.209       1.49700        81.6
28        -24.081      0.700       1.80420        46.5
29          6.587      2.720       1.56732        42.8
30       -264.238      0.000
31             ∞      0.500       1.51633        64.1
32             ∞      0.600
33             ∞      0.500       1.51633        64.1
34             ∞          -
＊は回転対称非球面である。
（表１４）
各種データ
ズーム比     29.5
短焦点距離端     中間焦点距離     長焦点距離端
FNO.           2.8              4.4              4.7
f            4.40            30.15           130.00
W            45.5              7.4              1.7
Y           3.875            3.875            3.875
fB           2.10            13.20             2.09
L           74.88           109.64           140.00
d5          1.000           39.712           58.376
d15        21.136            3.597            0.500
d24         2.657            5.145           31.048
（表１５）
非球面データ（表示していない非球面係数は0.00である）
面番号   K          A4             A6             A8             A10
10    0.000   0.1501×10-3   -0.3029×10-5    0.6840×10-7   -0.3807×10-8
11    0.000  -0.8831×10-4   -0.2379×10-5   -0.8687×10-7   -0.1028×10-8
17    0.000  -0.1002×10-3    0.4072×10-6   -0.2808×10-7
18    0.000   0.2519×10-4    0.2195×10-6   -0.1237×10-7
25    0.000   0.3019×10-3   -0.1497×10-4    0.6921×10-6   -0.1591×10-7
26    0.000   0.3047×10-3   -0.1533×10-4    0.6669×10-6   -0.1547×10-7
【００４９】
［数値実施例６］
図４６〜図５４と表１６〜表１８は、本発明によるズームレンズ系の数値実施例６を示している。図４６は長焦点距離端における無限遠合焦時のレンズ構成図、図４７はその諸収差図、図４８は横収差図であり、図４９は中間焦点距離における無限遠合焦時のレンズ構成図、図５０はその諸収差図、図５１は横収差図であり、図５２は短焦点距離端における無限遠合焦時のレンズ構成図、図５３はその諸収差図、図５４は横収差図である。表１６は面データ、表１７は各種データ、表１８は非球面データである。
【００５０】
この数値実施例６のレンズ構成は、第１レンズ群Ｇ１、第２レンズ群Ｇ２、第３レンズ群Ｇ３及び第４レンズ群Ｇ４の構成が数値実施例１のレンズ構成と異なっている。以下、具体的に説明する。説明を省略するその他の構成は、数値実施例１の構成と同様である。
第１レンズ群Ｇ１（面番号１から５）は、物体側から順に、物体側から順に位置する物体側に凸の負メニスカスレンズ１１と両凸正レンズ１２の接合レンズ１０、及び両凸正レンズ１３からなる。
第２レンズ群Ｇ２（面番号６から１５）は、物体側から順に、両凹負レンズ２０、物体側に凸の負メニスカスレンズ２１、像側に凸の正メニスカスレンズ２２、像側に凸の負メニスカスレンズ２３、及び両凸正レンズ２４からなる。正メニスカスレンズ２２は、その両面が非球面の樹脂レンズである。
第３レンズ群Ｇ３（面番号１７から２４）は、物体側から順に、両凸正レンズ３０、両凸正レンズ３１、両凹負レンズ３２、及び両凸正レンズ３３からなる。両凸正レンズ３０は、その両面が非球面のレンズである。
第４レンズ群Ｇ４（面番号２５から３０）は、物体側から順に、両凸正レンズ４０、及び物体側から順に位置する両凸正レンズ４５と両凹負レンズ４６と両凸正レンズ４７の接合レンズ４８からなる。両凸正レンズ４０は、その両面が非球面のレンズである。
【００５１】
（表１６）
面データ
面番号          R          d          N(d)          ν
1         232.137      1.300       1.83481        42.7
2          33.119      7.388       1.45650        90.3
3        -103.677      0.100
4          34.335      5.568       1.64000        60.2
5       -4852.672       可変
6        -212.628      0.800       1.80420        46.5
7           7.405      2.770
8          23.475      0.800       1.80518        25.5
9          11.423      1.523
10*       -41.883      2.670       2.00178        19.3
11*       -14.735      1.587
12         -8.062      0.800       1.80420        46.5
13        -20.849      0.200
14        163.519      1.049       1.92286        20.9
15        -53.112       可変
16絞          ∞      1.000
17*        16.974      1.831       1.49700        81.6
18*       -31.559      0.132
19          8.779      5.128       1.49700        81.6
20        -23.151      0.100
21        -70.123      0.800       1.83400        37.3
22          7.357      0.943
23         19.613      1.000       1.48749        70.4
24        -41.757       可変
25*       507.070      1.964       1.58313        59.5
26*       -48.150      2.355
27          8.845      3.254       1.49700        81.6
28        -18.000      0.700       1.80420        46.5
29          7.457      2.544       1.56732        42.8
30       -110.814      0.000
31             ∞      0.500       1.51633        64.1
32             ∞      0.600
33             ∞      0.500       1.51633        64.1
34             ∞          -
＊は回転対称非球面である。
（表１７）
各種データ
ズーム比     29.5
短焦点距離端     中間焦点距離     長焦点距離端
FNO.           2.8              4.4              4.7
f            4.40            30.05           130.00
W            46.0              7.5              1.7
Y           3.875            3.875            3.875
fB           3.04            14.58             2.09
L           79.02           105.28           139.23
d5          1.000           32.879           46.240
d15        21.862            3.250            0.500
d24         3.206            4.672           40.494
（表１８）
非球面データ（表示していない非球面係数は0.00である）
面番号   K          A4             A6             A8             A10
10    0.000   0.3965×10-3    0.1755×10-5   -0.4962×10-7    0.1008×10-8
11    0.000   0.1058×10-3    0.1433×10-5   -0.1251×10-6    0.7051×10-9
17    0.000  -0.8962×10-4   -0.1311×10-5   -0.7633×10-7
18    0.000   0.2779×10-4   -0.1025×10-5   -0.5375×10-7
25    0.000   0.3034×10-3   -0.1779×10-4    0.7566×10-6   -0.1393×10-7
26    0.000   0.2813×10-3   -0.1708×10-4    0.6727×10-6   -0.1239×10-7
【００５２】
［数値実施例７］
図５５〜図６３と表１９〜表２１は、本発明によるズームレンズ系の数値実施例７を示している。図５５は長焦点距離端における無限遠合焦時のレンズ構成図、図５６はその諸収差図、図５７は横収差図であり、図５８は中間焦点距離における無限遠合焦時のレンズ構成図、図５９はその諸収差図、図６０は横収差図であり、図６１は短焦点距離端における無限遠合焦時のレンズ構成図、図６２はその諸収差図、図６３は横収差図である。表１９は面データ、表２０は各種データ、表２１は非球面データである。
【００５３】
この数値実施例７のレンズ構成は、第２レンズ群Ｇ２、第３レンズ群Ｇ３及び第４レンズ群Ｇ４の構成が数値実施例１のレンズ構成と異なっている。以下、具体的に説明する。説明を省略するその他の構成は、数値実施例１の構成と同様である。
第２レンズ群Ｇ２（面番号６から１２）は、物体側から順に、両凹負レンズ側２０、像側に凸の負メニスカスレンズ２１、及び物体側から順に位置する両凸正レンズ２５と像側に凸の負メニスカスレンズ２６の接合レンズ２７からなる。両凹負レンズ２０は、その両面が非球面のレンズである。
第３レンズ群Ｇ３（面番号１４から２１）は、物体側から順に、両凸正レンズ３０、両凸正レンズ３１、両凹負レンズ３２、及び両凸正レンズ３３からなる。両凸正レンズ３０は、その両面が非球面のレンズである。また、第２レンズ群Ｇ２と第３レンズ群Ｇ３の間に位置する絞りＳ（面番号１３）は、第３レンズ群Ｇ３と一体に移動する。
第４レンズ群Ｇ４（面番号２２から２７）は、物体側から順に、両凸正レンズ４０、及び物体側から順に位置する物体側に凸の正メニスカスレンズ４５と物体側に凸の負メニスカスレンズ４６と物体側に凸の正メニスカスレンズ４７の接合レンズ４８からなる。両凸正レンズ４０は、その両面が非球面のレンズである。正メニスカスレンズ４５は、その物体側の面が非球面のレンズである。
【００５４】
（表１９）
面データ
面番号          R          d          N(d)          ν
1         165.365      1.300       1.83481        42.7
2          42.917      6.235       1.45650        90.3
3        -215.866      0.100
4          43.876      5.221       1.61800        63.4
5         892.265       可変
6*       -290.697      0.800       1.80139        45.5
7*          7.049      5.886
8          -9.121      0.800       1.83481        42.7
9         -16.083      0.000
10         88.827      2.746       1.92286        20.9
11        -20.964      0.800       1.80420        46.5
12        -53.582       可変
13絞          ∞      1.000
14*        10.102      1.729       1.49700        81.6
15*       -41.555      0.100
16          9.298      4.109       1.48749        70.4
17        -14.789      0.100
18        -28.632      0.800       1.83400        37.3
19          6.670      0.676
20         19.864      0.906       1.48749        70.4
21        -63.982       可変
22*        40.268      1.964       1.58313        59.5
23*      -551.758      3.502
24*         8.545      2.155       1.49700        81.6
25         27.415      0.700       1.83481        42.7
26          6.542      2.407       1.53172        48.8
27         32.169      0.150
28             ∞      0.500       1.51633        64.1
29             ∞      0.600
30             ∞      0.500       1.51633        64.1
31             ∞          -
＊は回転対称非球面である。
（表２０）
各種データ
ズーム比     29.5
短焦点距離端     中間焦点距離     長焦点距離端
FNO.           2.8              5.1              4.7
f            4.40            29.67           130.00
W            46.2              7.6              1.7
Y           3.875            3.875            3.875
fB           2.10            16.09             2.09
L           77.94           112.61           140.00
d5          1.000           34.311           65.162
d12        26.219            2.814            0.500
d21         2.838           13.605           26.463
（表２１）
非球面データ（表示していない非球面係数は0.00である）
面番号   K          A4             A6             A8             A10
6     0.000   0.1230×10-3   -0.4099×10-6   -0.3598×10-9
7     0.000  -0.8802×10-4    0.7147×10-6    0.3427×10-8
14    0.000  -0.7889×10-4   -0.2554×10-5    0.7603×10-7
15    0.000   0.1323×10-3   -0.1765×10-5    0.1238×10-6
22    0.000   0.2617×10-3   -0.1997×10-4    0.6935×10-6   -0.1423×10-7
23    0.000   0.2742×10-3   -0.2029×10-4    0.5896×10-6   -0.1167×10-7
24    0.000  -0.1300×10-4   -0.8044×10-6   -0.3171×10-7
【００５５】
各数値実施例の各条件式に対する値を表２２に示す。
（表２２）
実施例１     実施例２     実施例３     実施例４
条件式（１）     17.343       18.344       17.416       17.338
条件式（２）      8.159        7.066        7.252        9.169
条件式（３）      0.082        0.059        0.059        0.059
条件式（４）      3.563        3.375        3.204        3.190
条件式（５）      3.741        3.377        3.577        3.685
条件式（６）      0.158        0.114        0.121        0.125
条件式（７）      8.950       10.571       10.044        9.957
条件式（８）      0.238        0.246        0.239        0.190
条件式（９）      4.636        5.432        4.869        4.705
実施例５     実施例６     実施例７
条件式（１）     17.356       14.000       18.947
条件式（２）      8.062        7.091        7.411
条件式（３）      0.056        0.055        0.067
条件式（４）      3.193        2.576        3.486
条件式（５）      3.498        3.808        3.909
条件式（６）      0.118        0.129        0.132
条件式（７）      10.399       8.585        9.635
条件式（８）      0.207        0.230        0.265
条件式（９）      4.961        3.676        4.847
【００５６】
表２２から明らかなように、数値実施例１〜数値実施例７は、条件式（１）〜（９）を満足しており、また諸収差図から明らかなように諸収差は比較的よく補正されている。
【符号の説明】
【００５７】
Ｇ１  正の屈折力の第１レンズ群
Ｇ２  負の屈折力の第２レンズ群
Ｇ３  正の屈折力の第３レンズ群
Ｇ４  正の屈折力の第４レンズ群
Ｉ  像面
【図１】
2010271468.tif 000003
【図２】
2010271468.tif 000004
【図３】
2010271468.tif 000005
【図４】
2010271468.tif 000006
【図５】
2010271468.tif 000007
【図６】
2010271468.tif 000008
【図７】
2010271468.tif 000009
【図８】
2010271468.tif 000010
【図９】
2010271468.tif 000011
【図１０】
2010271468.tif 000012
【図１１】
2010271468.tif 000013
【図１２】
2010271468.tif 000014
【図１３】
2010271468.tif 000015
【図１４】
2010271468.tif 000016
【図１５】
2010271468.tif 000017
【図１６】
2010271468.tif 000018
【図１７】
2010271468.tif 000019
【図１８】
2010271468.tif 000020
【図１９】
2010271468.tif 000021
【図２０】
2010271468.tif 000022
【図２１】
2010271468.tif 000023
【図２２】
2010271468.tif 000024
【図２３】
2010271468.tif 000025
【図２４】
2010271468.tif 000026
【図２５】
2010271468.tif 000027
【図２６】
2010271468.tif 000028
【図２７】
2010271468.tif 000029
【図２８】
2010271468.tif 000030
【図２９】
2010271468.tif 000031
【図３０】
2010271468.tif 000032
【図３１】
2010271468.tif 000033
【図３２】
2010271468.tif 000034
【図３３】
2010271468.tif 000035
【図３４】
2010271468.tif 000036
【図３５】
2010271468.tif 000037
【図３６】
2010271468.tif 000038
【図３７】
2010271468.tif 000039
【図３８】
2010271468.tif 000040
【図３９】
2010271468.tif 000041
【図４０】
2010271468.tif 000042
【図４１】
2010271468.tif 000043
【図４２】
2010271468.tif 000044
【図４３】
2010271468.tif 000045
【図４４】
2010271468.tif 000046
【図４５】
2010271468.tif 000047
【図４６】
2010271468.tif 000048
【図４７】
2010271468.tif 000049
【図４８】
2010271468.tif 000050
【図４９】
2010271468.tif 000051
【図５０】
2010271468.tif 000052
【図５１】
2010271468.tif 000053
【図５２】
2010271468.tif 000054
【図５３】
2010271468.tif 000055
【図５４】
2010271468.tif 000056
【図５５】
2010271468.tif 000057
【図５６】
2010271468.tif 000058
【図５７】
2010271468.tif 000059
【図５８】
2010271468.tif 000060
【図５９】
2010271468.tif 000061
【図６０】
2010271468.tif 000062
【図６１】
2010271468.tif 000063
【図６２】
2010271468.tif 000064
【図６３】
2010271468.tif 000065
【図６４】
2010271468.tif 000066